(57)【要約】【課題】登録されたチャネルをスキャンするメモリスキャンを指示する入力を受け付けたときに使用されていたチャネルについても自動的にスキャンする。【解決手段】入力部３は、メモリスキャンを指示する入力を受け付ける。設定部５は、通信機１が使用しているチャネルを追加部６に送る。追加部６は、入力部３でメモリスキャンを指示する入力を受け付けたときに通信機１が使用していたチャネルが、記憶部７に記憶されていない場合には、記憶部７に該チャネルを記憶する。受信部４は、入力部３でメモリスキャンを指示する入力を受け付けた場合には、記憶部７に記憶されたチャネルを取得し、記憶部７にチャネルが記憶されている場合には、該チャネルを順次スキャンする。【選択図】図１
2014146870.tif 000002
【特許請求の範囲】
【請求項１】
メモリスキャンの対象となるチャネルを記憶する記憶手段と、
通信に使用するチャネルを設定する設定手段と、
メモリスキャンを指示する入力を受け付ける入力手段と、
前記入力手段で前記メモリスキャンを指示する入力を受け付けた場合には、前記記憶手段に記憶されたチャネルを順次スキャンする受信手段と、
前記入力手段で前記メモリスキャンを指示する入力を受け付けたときに前記設定手段により設定されているチャネルが、前記記憶手段に記憶されていない場合には、前記記憶手段に該チャネルを記憶させる追加手段と、
を備えることを特徴とする通信機。
【請求項２】
前記入力手段は、メモリスキャンの停止を指示する入力を受け付け、
前記入力手段で前記メモリスキャンの停止を指示する入力を受け付けた場合には、前記追加手段によって記憶された前記チャネルを前記記憶手段から削除する削除手段をさらに備える、
ことを特徴とする請求項１に記載の通信機。
【請求項３】
前記受信手段は、前記入力手段で前記メモリスキャンを指示する入力を受け付けた場合には、前記記憶手段に記憶されたチャネルを順次スキャンすることを所定の回数繰り返し、
前記受信手段が前記記憶手段に記憶されたチャネルを順次スキャンすることを前記所定の回数繰り返した後に、前記追加手段によって記憶された前記チャネルを前記記憶手段から削除する削除手段をさらに備える、
ことを特徴とする請求項１に記載の通信機。
【請求項４】
前記入力手段は、メモリスキャンの停止を指示する入力を受け付け、
前記削除手段は、前記受信手段が前記記憶手段に記憶されたチャネルを順次スキャンすることを繰り返している間に、前記入力手段で前記メモリスキャンの停止を指示する入力を受け付けた場合には、前記追加手段によって記憶された前記チャネルを前記記憶手段から削除する、
ことを特徴とする請求項３に記載の通信機。
【請求項５】
メモリスキャンの対象となるチャネルを記憶する記憶手段を備える通信機が行う受信方法であって、
通信に使用するチャネルを設定する設定ステップと、
メモリスキャンを指示する入力を受け付ける入力ステップと、
前記入力ステップで前記メモリスキャンを指示する入力を受け付けた場合には、前記記憶手段に記憶されたチャネルを順次スキャンする受信ステップと、
前記入力ステップで前記メモリスキャンを指示する入力を受け付けたときに前記設定ステップにより設定されているチャネルが、前記記憶手段に記憶されていない場合には、前記記憶手段に該チャネルを記憶させる追加ステップと、
を備えることを特徴とする受信方法。
【請求項６】
前記入力ステップにおいて、メモリスキャンの停止を指示する入力を受け付け、
前記入力ステップで前記メモリスキャンの停止を指示する入力を受け付けた場合には、前記追加ステップによって記憶された前記チャネルを前記記憶手段から削除する削除ステップをさらに備える、
ことを特徴とする請求項５に記載の受信方法。
【発明の詳細な説明】
【技術分野】
【０００１】
本発明は、通信機および受信方法に関する。
【背景技術】
【０００２】
複数の通信チャネルの内、予め登録された任意数のチャネルを順にスキャンする、メモリスキャンを行う通信機がある。特許文献１に開示される無線通信機は、一スキャニング周期中に同一バンクを複数回配置し、その間に他のバンク一つを順次配置するようにスキャニング・シーケンスを設定することによって、注目するバンクを他より多くスキャンする。
【先行技術文献】
【特許文献】
【０００３】
【特許文献１】特開２００８−１１４４２号公報
【発明の概要】
【発明が解決しようとする課題】
【０００４】
従来の通信機の場合、例えばユーザが予め登録された任意数のチャネルに含まれていないチャネルを使用して通信を行った後に、メモリスキャンを実行した場合、該チャネルはメモリスキャンの対象とはならない。メモリスキャンによって、該チャネルへの入感を確認するには、該チャネルがメモリスキャンの対象となるように登録チャネルの再設定の操作を行う必要があった。
【０００５】
本発明は、上述のような事情に鑑みてなされたものであり、登録されたチャネルをスキャンするメモリスキャンを指示する入力を受け付けたときに使用されていたチャネルについても自動的にスキャンすることを目的とする。
【課題を解決するための手段】
【０００６】
上記目的を達成するため、本発明の第１の観点に係る通信機は、
メモリスキャンの対象となるチャネルを記憶する記憶手段と、
通信に使用するチャネルを設定する設定手段と、
メモリスキャンを指示する入力を受け付ける入力手段と、
前記入力手段で前記メモリスキャンを指示する入力を受け付けた場合には、前記記憶手段に記憶されたチャネルを順次スキャンする受信手段と、
前記入力手段で前記メモリスキャンを指示する入力を受け付けたときに前記設定手段により設定されているチャネルが、前記記憶手段に記憶されていない場合には、前記記憶手段に該チャネルを記憶させる追加手段と、
を備えることを特徴とする。
【０００７】
好ましくは、前記入力手段は、メモリスキャンの停止を指示する入力を受け付け、
前記入力手段で前記メモリスキャンの停止を指示する入力を受け付けた場合には、前記追加手段によって記憶された前記チャネルを前記記憶手段から削除する削除手段をさらに備える。
【０００８】
好ましくは、前記受信手段は、前記入力手段で前記メモリスキャンを指示する入力を受け付けた場合には、前記記憶手段に記憶されたチャネルを順次スキャンすることを所定の回数繰り返し、
前記受信手段が前記記憶手段に記憶されたチャネルを順次スキャンすることを前記所定の回数繰り返した後に、前記追加手段によって記憶された前記チャネルを前記記憶手段から削除する削除手段をさらに備える。
【０００９】
好ましくは、前記入力手段は、メモリスキャンの停止を指示する入力を受け付け、
前記削除手段は、前記受信手段が前記記憶手段に記憶されたチャネルを順次スキャンすることを繰り返している間に、前記入力手段で前記メモリスキャンの停止を指示する入力を受け付けた場合には、前記追加手段によって記憶された前記チャネルを前記記憶手段から削除する。
【００１０】
本発明の第２の観点に係る受信方法は、
メモリスキャンの対象となるチャネルを記憶する記憶手段を備える通信機が行う受信方法であって、
通信に使用するチャネルを設定する設定ステップと、
メモリスキャンを指示する入力を受け付ける入力ステップと、
前記入力ステップで前記メモリスキャンを指示する入力を受け付けた場合には、前記記憶手段に記憶されたチャネルを順次スキャンする受信ステップと、
前記入力ステップで前記メモリスキャンを指示する入力を受け付けたときに前記設定ステップにより設定されているチャネルが、前記記憶手段に記憶されていない場合には、前記記憶手段に該チャネルを記憶させる追加ステップと、
を備えることを特徴とする。
【００１１】
好ましくは、前記入力ステップにおいて、メモリスキャンの停止を指示する入力を受け付け、
前記入力ステップで前記メモリスキャンの停止を指示する入力を受け付けた場合には、前記追加ステップによって記憶された前記チャネルを前記記憶手段から削除する削除ステップをさらに備える。
【発明の効果】
【００１２】
本発明によれば、登録されたチャネルをスキャンするメモリスキャンを指示する入力を受け付けたときに使用されていたチャネルがメモリスキャンの対象に自動的に追加され、該チャネルについてもスキャンすることが可能になる。
【図面の簡単な説明】
【００１３】
【図１】本発明の実施の形態１に係る通信機の構成例を示すブロック図である。
【図２】実施の形態１に係る通信機が行うメモリスキャンの例を示す図である。
【図３】実施の形態１に係る通信機が行うメモリスキャンの動作の一例を示すフローチャートである。
【図４】本発明の実施の形態２に係る通信機の構成例を示すブロック図である。
【図５】実施の形態２に係る通信機が行うメモリスキャンの例を示す図である。
【図６】実施の形態２に係る通信機が行うメモリスキャンの動作の一例を示すフローチャートである。
【図７】本発明の実施の形態３に係る通信機が行うメモリスキャンの動作の一例を示すフローチャートである。
【発明を実施するための形態】
【００１４】
以下、本発明の実施の形態について図面を参照して詳細に説明する。なお図中、同一または同等の部分には同一の符号を付す。
【００１５】
（実施の形態１）
図１は、本発明の実施の形態１に係る通信機の構成例を示すブロック図である。通信機１は、アンテナ２、入力部３、受信部４、設定部５、追加部６、記憶部７、送信部８、送受信切替部９およびコントローラ２０を備える。入力部３は、通信に使用するチャネルを指示する入力、または記憶部７に記憶されたチャネルを順にスキャンする、メモリスキャンを指示する入力を受け付ける。設定部５は、入力部３で通信に使用するチャネルを指示する入力を受け付けた場合には、受信部４および／または送信部８で使用するチャネルを設定する。
【００１６】
受信部４は、設定部５により通信に使用するチャネルが設定された場合には、該チャネルを受信、すなわち、該チャネルに対応する周波数の信号をアンテナ２および送受信切替部９を介して受信する。受信部４は、入力部３でメモリスキャンを指示する入力を受け付けた場合には、記憶部７に記憶されたチャネルを取得する。記憶部７にチャネルが記憶されている場合には、該チャネルを順次スキャンする。送信部８は、設定部５により通信に使用するチャネルが設定された場合には、該チャネルに対応する周波数の信号を送受信切替部９およびアンテナ２を介して他の機器に送信する。
【００１７】
設定部５は、受信部４および／または送信部８に対して設定しているチャネル、すなわち通信機１が通信に使用しているチャネルを追加部６に送る。追加部６は、入力部３でメモリスキャンを指示する入力を受け付けたときに設定部５で設定されていたチャネル、すなわち通信機１が通信に使用していたチャネルが、記憶部７に記憶されていない場合には、記憶部７に該チャネルを記憶する。
【００１８】
コントローラ２０は、ＣＰＵ（Central Processing Unit：中央処理装置）２１、ＲＡＭ（Random Access Memory）２３、およびＲＯＭ（Read-Only Memory）２４を備える。複雑化を避け、理解を容易にするために、コントローラ２０から各部への信号線が省略されているが、コントローラ２０は通信機１の各部にＩ／Ｏ（Input／Output）２２を介して接続しており、それらの処理の開始、終了、処理内容の制御を行う。
【００１９】
ＲＡＭ２３に、例えば設定部５が設定したチャネルの情報を格納し、追加部６は、ＲＡＭ２３からチャネルの情報を取得するようにしてもよい。ＲＯＭ２４は、コントローラ２０が通信機１の動作を制御するための制御プログラムを格納する。コントローラ２０は、制御プログラムに基づいて、通信機１を制御する。
【００２０】
図２は、実施の形態１に係る通信機が行うメモリスキャンの例を示す図である。図２（ａ）に示すように、記憶部７には、チャネル０２、チャネル０４、チャネル２７、およびチャネル３０が記憶されている場合を例にして説明する。なおチャネルをスキャンする順序は上述の例に限られず、任意である。
【００２１】
入力部３がチャネル０１を通信に使用する指示の入力を受け付けた場合には、入力部３はその旨を設定部５に通知する。設定部５は、例えば受信部４のチャネルをチャネル０１に設定し、チャネル０１を追加部６に送る。受信部４は、チャネル０１で受信する。その後、入力部３でメモリスキャンを指示する入力を受け付ける。入力部３はメモリスキャンを指示する入力を受け付けた場合には、その旨を受信部４および追加部６に通知する。この場合、チャネル０１が、入力部３でメモリスキャンを指示する入力を受け付けたときに通信機１が使用していたチャネルである。追加部６は、チャネル０１が記憶部７に記憶されていないため、記憶部７にチャネル０１を記憶させる。なお入力部３はメモリスキャンを指示する入力を受け付けた場合には、その旨を受信部４および設定部５に通知し、設定部５は受信部４がメモリスキャンを開始する前に、通信機１が使用していたチャネルを追加部６に送るようにしてもよい。
【００２２】
受信部４は、記憶部７に記憶されたチャネルを順次スキャンする。すなわち、受信部４は、図２（ｂ）に示すように、チャネル０１、チャネル０２、チャネル０４、チャネル２７、およびチャネル３０を順にスキャンする。なお追加部６がチャネル０１を追加する位置は、任意である。また受信部４は、チャネル０１、チャネル０２、チャネル０４、チャネル２７、およびチャネル３０のスキャンを定めた回数だけ繰り返してもよい。
【００２３】
図３は、実施の形態１に係る通信機が行うメモリスキャンの動作の一例を示すフローチャートである。入力部３でメモリスキャンを指示する入力を受け付けた場合、記憶部７に記憶されたチャネルを取得する。記憶部７にチャネルが記憶されていない場合には（ステップＳ１１０；Ｎ）、通信機１は処理を終了する。すなわち、メモリスキャンは行われない。記憶部７にチャネルが記憶されている場合には（ステップＳ１１０；Ｙ）、追加部６は、入力部３でメモリスキャンを指示する入力を受け付けたときに通信機１が使用していたチャネルを取得する（ステップＳ１２０）。
【００２４】
通信機１が使用していたチャネルが記憶部７に記憶されており、記憶されているチャネル数が１である場合には（ステップＳ１３０；Ｙ、ステップＳ１４０；Ｙ）、通信機１は処理を終了する。通信機１が使用していたチャネルが記憶部７に記憶されており、記憶されているチャネル数が１でない場合には（ステップＳ１３０；Ｙ、ステップＳ１４０；Ｎ）、ステップＳ１６０に進む。通信機１が使用していたチャネルが記憶部７に記憶されていない場合には（ステップＳ１３０；Ｎ）、追加部６は、通信機１が使用していたチャネルを記憶し（ステップＳ１５０）、ステップＳ１６０に進む。受信部４は、記憶部７に記憶されたチャネルを順次スキャンする、メモリスキャンを行う（ステップＳ１６０）。例えば所定の回数メモリスキャンを行い、ステップＳ１６０の処理が完了すると、通信機１は処理を終了する。
【００２５】
従来の無線機では、チャネル０１にチャネルを合わせた後に、メモリスキャンを実行すると、チャネル０１は、メモリスキャンの対象ではないため、自動的にスキャンすることができなかった。実施の形態１に係る通信機１においては、メモリスキャンの指示の入力を受け付けたときに通信機１が使用していたチャネルを記憶部７に記憶することで、該チャネルを自動的にスキャンすることが可能となる。
【００２６】
以上説明したとおり、実施の形態１に係る通信機１によれば、登録されたチャネルをスキャンするメモリスキャンを指示する入力を受け付けたときに使用されていたチャネルがメモリスキャンの対象に自動的に追加され、該チャネルについてもスキャンすることが可能となる。
【００２７】
（実施の形態２）
図４は、本発明の実施の形態２に係る通信機１の構成例を示すブロック図である。実施の形態２に係る通信機１は、図１に示す実施の形態１に係る通信機１の構成に加えて、削除部１０を備える。実施の形態１と異なる通信機１の動作について説明する。入力部３は、メモリスキャンの停止を指示する入力も受け付ける。入力部３は、メモリスキャンの停止を指示する入力を受け付けた場合には、その旨を受信部４および削除部１０に通知する。受信部４は、メモリスキャンの停止を指示する入力を受け付けた場合には、メモリスキャンを停止する。削除部１０は、メモリスキャンの停止を指示する入力を受け付けた場合には、追加部６によって記憶部７に記憶された、メモリスキャンを指示する入力を受け付けたときに通信機１が使用していたチャネルを削除する。なお記憶部７には、メモリスキャンの指示の入力を受け付けた場合に追加部６によって追加されたチャネルを特定することを可能にするために、例えばチャネルに対応付けられ、追加部６による追加であるか否かを示すフラグを設ける。
【００２８】
図２（ａ）に示すように、記憶部７には、チャネル０２、チャネル０４、チャネル２７、およびチャネル３０が記憶されている場合を例にして説明する。実施の形態１で説明したように、入力部３でチャネル０１を通信に使用する指示の入力を受け付けた後に、メモリスキャンを指示する入力を受け付けた場合には、図２（ｂ）のように受信部４は、メモリスキャンを行う。その後入力部３でメモリスキャンの停止を指示する入力を受け付けた場合には、削除部１０は、チャネル０１を削除する。すなわち、図２（ａ）に示すように記憶部７には、チャネル０２、チャネル０４、チャネル２７、およびチャネル３０が記憶されている状態になる。
【００２９】
入力部３が、メモリスキャンの停止を指示する入力を受け付けた後、チャネル０３を通信に使用する指示の入力を受け付けた場合には、設定部５は、例えば受信部４のチャネルをチャネル０３に設定し、チャネル０３を追加部６に送る。受信部４は、チャネル０３で受信する。その後、入力部３でメモリスキャンを指示する入力を受け付けると、追加部６は、記憶部７にチャネル０３を記憶させる。図５は、実施の形態２に係る通信機が行うメモリスキャンの例を示す図である。受信部４は、図５に示すように、チャネル０３、チャネル０２、チャネル０４、チャネル２７、およびチャネル３０を順にスキャンする。
【００３０】
上述のように、メモリスキャンを指示する入力を受け付けるたびに、該入力を受け付けたときに通信機１が通信に使用していたチャネルが記憶部７に記憶され、メモリスキャンを停止を指示する入力を受け付けた場合に、該チャネルは記憶部７から削除される。
【００３１】
図６は、実施の形態２に係る通信機が行うメモリスキャンの動作の一例を示すフローチャートである。ステップＳ１１０〜Ｓ１６０までは、図３に示す実施の形態１に係る通信機１の動作と同じである。入力部３がメモリスキャンの停止を指示する入力を受け付けていない間は（ステップＳ１７０；Ｎ）、ステップＳ１６０のメモリスキャンの動作を繰り返し行う。入力部３がメモリスキャンの停止を指示する入力を受け付けた場合には（ステップＳ１７０；Ｙ）、削除部１０は、追加部６によって記憶部７に記憶された、メモリスキャンの指示の入力を受け付けたときに通信機１が使用していたチャネルを削除する（ステップＳ１８０）。ステップＳ１８０の削除処理が完了すると、通信機１は、処理を終了する。
【００３２】
以上説明したとおり、実施の形態２に係る通信機１によれば、登録されたチャネルをスキャンするメモリスキャンを指示する入力を受け付けたときに使用されていたチャネルがメモリスキャンの対象に自動的に追加され、該チャネルについてもスキャンすることが可能となる。またメモリスキャンの停止後は、該チャネルをメモリスキャンの対象から自動的に削除することが可能となる。
【００３３】
（実施の形態３）
本発明の実施の形態３に係る通信機１の構成は、図４に示す実施の形態２に係る通信機１の構成と同じである。実施の形態２と異なる通信機１の動作について説明する。受信部４は、入力部３でメモリスキャンを指示する入力を受け付けた場合には、記憶部７に記憶されたチャネルを取得する。記憶部７にチャネルが記憶されている場合には、該チャネルを順次スキャンすることを所定の回数繰り返す。所定の回数とは、任意に定めた値である。
【００３４】
削除部１０は、受信部４がメモリスキャンを所定の回数繰り返した後に、追加部６によって記憶部７に記憶された、メモリスキャンを指示する入力を受け付けたときに通信機１が使用していたチャネルを削除する。さらに削除部１０は、受信部４がメモリスキャンを繰り返している間に、メモリスキャンの停止を指示する入力を受け付けた場合には、追加部６によって記憶部７に記憶された、メモリスキャンを指示する入力を受け付けたときに通信機１が使用していたチャネルを削除してもよい。
【００３５】
図７は、本発明の実施の形態３に係る通信機が行うメモリスキャンの動作の一例を示すフローチャートである。ステップＳ１１０〜Ｓ１６０までは、図６に示す実施の形態２に係る通信機１の動作と同じである。受信部４でメモリスキャンを所定の回数繰り返している途中であって、入力部３がメモリスキャンの停止を指示する入力を受け付けていない間は（ステップＳ１６１；Ｎ、ステップＳ１７０；Ｎ）、ステップＳ１６０のメモリスキャンの動作を繰り返し行う。
【００３６】
受信部４でメモリスキャンを所定の回数繰り返した場合には（ステップＳ１６１；Ｙ）、ステップＳ１８０に進む。また受信部４でメモリスキャンを所定の回数繰り返している間に、入力部３でメモリスキャンの停止を指示する入力を受け付けた場合には（ステップＳ１６１；Ｎ、ステップＳ１７０；Ｙ）、ステップＳ１８０に進む。そして、削除部１０は、追加部６によって記憶部７に記憶された、メモリスキャンの指示の入力を受け付けたときに通信機１が使用していたチャネルを削除する（ステップＳ１８０）。ステップＳ１８０の削除処理が完了すると、通信機１は、処理を終了する。
【００３７】
以上説明したとおり、実施の形態３に係る通信機１によれば、登録されたチャネルをスキャンするメモリスキャンを指示する入力を受け付けたときに使用されていたチャネルがメモリスキャンの対象に自動的に追加され、該チャネルについてもスキャンすることが可能となる。またメモリスキャンを所定の回数繰り返した場合や、メモリスキャンを繰り返している間にメモリスキャンを停止する指示を受け付けた場合に、該チャネルをメモリスキャンの対象から自動的に削除することが可能となる。
【００３８】
本発明の実施の形態は上述の実施の形態に限られない。入力部３でメモリスキャンを指示する入力を受け付けた場合に、受信部４は記憶部７に記憶されているチャネルを順次スキャンしてから、その後、入力部３でメモリスキャンを指示する入力を受け付けたときに通信機１が使用していたチャネルを記憶部７に記憶させ、該チャネルのスキャンを行ってもよい。入力部３でメモリスキャンを指示する入力を受け付けたときに通信機１が通信に使用していたチャネルとは、該入力を受け付けたタイミングで通信機１が通信に使用していたチャネルに限定されない。該入力の受け付けに応答して設定部５で通信に使用しているチャネルであると特定したチャネルを、該入力を受け付けたときに通信機１が通信に使用していたチャネルとして扱う。
【符号の説明】
【００３９】
１    通信機
２    アンテナ
３    入力部
４    受信部
５    設定部
６    追加部
７    記憶部
８    送信部
９    送受信切替部
１０    削除部
２０    コントローラ
２１    ＣＰＵ
２２    Ｉ／Ｏ
２３    ＲＡＭ
２４    ＲＯＭ
【図１】
2014146870.tif 000003
【図２】
2014146870.tif 000004
【図３】
2014146870.tif 000005
【図４】
2014146870.tif 000006
【図５】
2014146870.tif 000007
【図６】
2014146870.tif 000008
【図７】
2014146870.tif 000009